【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】
ビデオフレームのフィールドの垂直位置に補間画素を生成するための方法であって、
前記フィールドの前記垂直位置に垂直方向に隣接する少なくとも２つの画素と少なくとも１つの隣接するフィールドの少なくとも３つの画素とを受け入れるステップと；
前記補間画素近傍の動きの程度を検出するステップと；
前記動きの程度に基づいた重み因子を提供するステップと；
前記少なくとも２つの画素および前記少なくとも３つの画素からの重み付けされた寄与の組み合わせに基づいて前記補間画素を計算するステップであって、前記重み付けされた寄与が前記重み因子と少なくとも垂直・時間および時間補間との組み合わせから導き出され、少なくとも１つの動きの程度に対し、前記重み付けされた寄与が少なくとも（ｉ）前記少なくとも２つの画素のすぐ隣接しているものから導き出される第１の正の寄与と（ｉｉ）前記垂直位置に位置する前記少なくとも３つの画素のうちの中央のものから導き出される第２の正の寄与と（ｉｉｉ）前記少なくとも３つの画素のうちの前記中央の画素と垂直方向ですぐに隣接している２つから導き出される負の寄与とを含むステップとを含む方法。
【請求項２】
前記補間画素を計算するステップの前に複数の係数を提供するステップをさらに含み、前記計算するステップが、前記重み因子ならびに前記少なくとも垂直・時間および時間補間に基づいて前記画素のそれぞれのために前記複数の係数からそれぞれ係数を選択するステップと；前記重み付けされた寄与を生成するために前記少なくとも２つの画素および前記少なくとも３つの画素を前記それぞれの係数で乗算するステップと；前記重み付けされた寄与を合計するステップとを含むことを特徴とする請求項１に記載の補間ビデオ画素を生成するための方法。
【請求項３】
前記補間画素を計算するステップの前に複数の係数を提供するステップをさらに含み、前記計算するステップが、前記係数を前記動きの程度に基づいた重み因子で乗算して、結果としての複数の積を提供するステップと；前記結果としての積を合算して前記動きの程度に基づいた重み係数を提供するステップと；前記重み係数を前記少なくとも２つの画素および前記少なくとも３つの画素で乗算して前記重み付けされた寄与を生成するステップと；前記重み付けされた寄与を合計するステップとを含むことを特徴とする請求項１に記載の補間ビデオ画素を生成するための方法。
【請求項４】
前記補間画素を計算するステップが、前記少なくとも２つおよび少なくとも３つの画素を用いて少なくとも垂直・時間補間および時間補間を行い、前記少なくとも２つの画素および前記少なくとも３つの画素からの寄与に基づいて、それぞれ、少なくとも第１および第２の推定値を提供するステップと；前記推定値を前記重み因子で乗算し前記重み付けされた寄与を提供するステップと；前記重み付けされた寄与を合計するステップとを含むことを特徴とする請求項１に記載の補間ビデオ画素を生成するための方法。
【請求項５】
動きのあるときに、前記少なくとも２つの画素に伴う選択された係数の合計が実質的に１になることを特徴とする請求項２に記載の補間ビデオ画素を生成するための方法。
【請求項６】
動きのあるときに、前記少なくとも２つの画素に伴う重み係数の合計が実質的に１になることを特徴とする請求項３に記載の補間ビデオ画素を生成するための方法。
【請求項７】
動きのないときに、前記少なくとも３つの画素に伴う選択された係数の合計が実質的に１になることを特徴とする請求項２に記載の補間ビデオ画素を生成するための方法。
【請求項８】
動きのないときに、前記少なくとも３つの画素に伴う重み係数の合計が実質的に１になることを特徴とする請求項３に記載の補間ビデオ画素を生成する方法。
【請求項９】
動きの程度が高くなると前記第１の正の寄与が増加することを特徴とする請求項１に記載の補間ビデオ画素を生成するための方法。
【請求項１０】
前記補間ビデオ画素が、プログレッシブ走査された出力フレームの一部を形成することを特徴とする請求項１に記載の補間ビデオ画素を生成するための方法。
【請求項１１】
前記補間画素がインターレース走査された出力フィールドの一部を形成することを特徴とする請求項１に記載の補間画素を生成するための方法。
【請求項１２】
ビデオフレームのフィールドの垂直位置に補間画素を生成するための装置であって、
前記フィールドの前記垂直位置と垂直方向に隣接する少なくとも２つの画素と少なくとも１つの隣接するフィールドの少なくとも３つの画素とを受け入れるためのメモリと；
前記補間画素近傍の動きの程度を検出し、前記動きの程度に基づいた重み因子を得るための動き検出器と；
前記少なくとも２つの画素および前記少なくとも３つの画素からの重み付けされた寄与の組み合わせに基づいて前記補間画素を計算するための計算装置であって、前記重み付けされた寄与が、前記重み因子と少なくとも垂直・時間および時間補間との組み合わせから導き出され、前記重み付けされた寄与が少なくとも（ｉ）前記少なくとも２つの画素のすぐ隣接しているものから導き出される第１の正の寄与と（ｉｉ）前記垂直位置に位置する前記少なくとも３つの画素のうちの中央のものから導き出される第２の正の寄与と（ｉｉｉ）前記少なくとも３つの画素のうちの前記中央の画素と垂直方向ですぐに隣接しているものから導き出される負の寄与とを含む計算装置とを含む装置。
【請求項１３】
ビデオフレームのフィールドの垂直位置に補間画素を生成するための方法であって、
前記フィールドの前記垂直位置に垂直方向に隣接する少なくとも２つの画素と少なくとも１つの隣接するフィールドの少なくとも３つの画素とを受け入れるステップと；
前記補間画素近傍の動きの程度を検出するステップと；
前記動きの程度に基づいた重み因子を提供するステップと；
複数の係数を提供するステップと；
前記重み因子ならびに少なくとも垂直・時間および時間補間に基づいて前記画素のそれぞれのために前記複数の係数からそれぞれの係数を選択するステップと；
前記重み付けされた寄与を生成するために前記少なくとも２つの画素および前記少なくとも３つの画素を前記それぞれの係数で乗算するステップと；
前記重み付けされた寄与を合計するステップとを含み、
前記動きの少なくとも１つの程度に対し、前記重み付けされた寄与が少なくとも（ｉ）前記少なくとも２つの画素のすぐ隣接しているものから導き出される第１の正の寄与と（ｉｉ）前記垂直位置に位置する前記少なくとも３つの画素のうちの中央のものから導き出される第２の正の寄与と（ｉｉｉ）前記少なくとも３つの画素のうちの前記中央の画素と垂直方向ですぐに隣接している２つから導き出される負の寄与とを含むことを特徴とする方法。
【請求項１４】
ビデオフレームのフィールドの垂直位置に補間画素を生成するための方法であって、
前記フィールドの前記垂直位置に垂直方向に隣接する少なくとも２つの画素と少なくとも１つの隣接するフィールドの少なくとも３つの画素とを受け入れるステップと；
前記補間画素近傍の動きの程度を検出するステップと；
前記動きの程度に基づいた重み因子を提供するステップと；
複数の係数を提供するステップと；
前記係数を前記動きの程度に基づいた前記重み因子で乗算して、結果としての複数の積を提供するステップと；
結果としての積を合算して前記動きの程度に基づいた重み係数を提供するステップと；
前記重み係数を前記少なくとも２つの画素および前記少なくとも３つの画素で乗算して前記重み付けされた寄与を生成するステップと；
前記重み付けされた寄与を合計するステップとを含み、
前記動きの少なくとも１つの程度に対し、前記重み付けされた寄与が少なくとも（ｉ）前記少なくとも２つの画素のすぐ隣接しているものから導き出される第１の正の寄与と（ｉｉ）前記垂直位置に位置する前記少なくとも３つの画素のうちの中央のものから導き出される第２の正の寄与と（ｉｉｉ）前記少なくとも３つの画素のうちの前記中央の画素と垂直方向ですぐに隣接している２つから導き出される負の寄与とを含むことを特徴とする方法。
【請求項１５】
ビデオフレームのフィールドの垂直位置に補間画素を生成するための方法であって、
前記フィールドの前記垂直位置に垂直方向に隣接する少なくとも２つの画素と少なくとも１つの隣接するフィールドの少なくとも３つの画素とを受け入れるステップと；
前記補間画素近傍の動きの程度を検出するステップと；
前記動きの程度に基づいた重み因子を提供するステップと；
前記少なくとも２つおよび少なくとも３つの画素を用いて少なくとも垂直・時間補間および時間補間を行い、前記少なくとも２つの画素および前記少なくとも３つの画素からの寄与に基づいて、それぞれ、少なくとも第１および第２の推定値を提供するステップと；
前記推定値を前記重み因子で乗算して重み付けされた推定値を提供するステップと；
前記重み付けされた推定値を合計するステップとを含み、
前記動きの少なくとも１つの程度に対し、前記合計された重み付けされた推定値が少なくとも（ｉ）前記少なくとも２つの画素のすぐ隣接しているものから導き出される第１の正の寄与と（ｉｉ）前記垂直位置に位置する前記少なくとも３つの画素のうちの中央のものから導き出される第２の正の寄与と（ｉｉｉ）前記少なくとも３つの画素のうちの前記中央の画素と垂直方向ですぐに隣接している２つから導き出される負の寄与とを含むことを特徴とする方法。